(57)【要約】      （修正有）【課題】体の各部位を鍛錬することができると共に、収納や運搬もし易い運動器具を提供する。【解決手段】２つのレール１０と、脚部２０と、２つの踏み板３０と、固定座４１と、２つの内側連結ロッド４２と、２つの固定ロッド４３と、外側連結ロッド４５とを有する連結ロッドユニット４０と、前記２つの固定ロッドの間に張設される少なくとも１つの弾性部材５０と、前記２つの固定ロッドに夫々取り付けられる２つのハンドル６０とを備える。【選択図】図１
0003158396.tif 000002
【実用新案登録請求の範囲】
【請求項１】
平行に配置される２つのレール（１０）と、
前記２つのレール（１０）に固設される脚部（２０）と、
前記２つのレール（１０）に摺動可能に設置される２つの踏み板（３０）と、
前記２つの踏み板（３０）の間に位置するように２つのレール（１０）に固設される固定座（４１）と、該固定座（４１）に枢設される２つの内側連結ロッド（４２）と、該２つの内側連結ロッド（４２）に夫々枢設される２つの固定ロッド（４３）と、該２つの固定ロッド（４３）に夫々枢設されると共に、前記踏み板（３０）に夫々枢設される外側連結ロッド（４５）とを有する連結ロッドユニット（４０）と、
前記２つの固定ロッド（４３）の間に張設される少なくとも１つの弾性部材（５０）と、
前記２つの固定ロッド（４３）に夫々取り付けられる２つのハンドル（６０）とを備えることを特徴とする運動器具。
【請求項２】
前記連結ロッドユニット（４０）は更に、前記２つの固定ロッド（４３）に夫々固定される２つのスリーブ（４４）を有すると共に、前記ハンドル（６０）は、挿脱可能に該２つのスリーブ（４４）に夫々挿設されるパイプ体（６１）と、該パイプ体（６１）に固設されるグリップ（６２）とを有することを特徴とする請求項１に記載の運動器具。
【請求項３】
前記各レール（１０）が折畳み可能であることを特徴とする請求項１に記載の運動器具。
【請求項４】
前記各レール（１０）は、中央部（１１）と、該中央部（１１）の両側に夫々枢設される２つの外側部（１２）とを有することを特徴とする請求項３に記載の運動器具。
【請求項５】
前記２つの固定ロッド（４３）の一端に夫々、前記２つのスリーブ（４４）が連結されると共に、該２つの固定ロッド（４３）の他端に夫々係止部（４３１）が設けられることを特徴とする請求項２に記載の運動器具。
【請求項６】
前記弾性部材（５０）が弾性リングであることを特徴をする請求項１に記載の運動器具。
【請求項７】
前記２つのレール（１０）に夫々摺動溝（１５）が形成されると共に、前記各踏み板（３０）の底部に夫々、２つのレール（１０）における摺動溝（１５）に摺動可能に摺動部材が嵌装されることを特徴とする請求項１乃至６のいずれか一項に記載の運動器具。
【請求項８】
前記各レール（１０）の上面に長手方向に沿って複数の位置決め部（１０１）が形成されると共に、該各レール（１０）の摺動溝（１５）における、２つの摺動部材の外側にそれぞれ２つの制限ブロック（１６）が着脱可能に設置され、該各制限ブロック（１６）に位置決め部（１０１）と結合するための少なくとも１つの位置決め部材（１６１）が取り付けられることを特徴とする請求項７に記載の運動器具。
【請求項９】
前記各レール（１０）における位置決め部（１０１）が位置決め穴であると共に、前記各制限ブロック（１６）に取り付けられる位置決め部材（１６１）が該位置決め穴に挿入可能なピンであることを特徴とする請求項８に記載の運動器具。
【請求項１０】
前記各踏み板（３０）の底部に夫々２つの摺動部材が設置され、該摺動部材は、摺動穴（３２１）を有するスリーブ部材であると共に、前記各レール（１０）における外側部（１２）が、スリーブ部材の摺動穴（３２１）に挿設される棒体であることを特徴とする請求項４乃至６に記載の運動器具。
【考案の詳細な説明】
【技術分野】
【０００１】
本考案は、特に頚部や腹部、背中、脚部、腕などの筋肉を効率よく鍛錬することができる運動器具に関するものである。
【背景技術】
【０００２】
従来のランニングマシンやエアロバイク等の運動器具は、主に脚部を鍛錬するものである。
【考案の概要】
【考案が解決しようとする課題】
【０００３】
しかしながら、従来のランニングマシンやエアロバイクは主に、脚部を鍛錬するための運動器具であることから、脚部以外の部位を鍛錬することができないので、腹部等の部位の筋肉を鍛錬したい時は、他の運動器具を使用するしかなかった。また、ランニングマシンやエアロバイクは、歯車や伝送ベルト、磁気車、歯車変速機構等の複雑な部材を有する構成であることから、大きくて重いので、収納や持ち運びに非常に不便であった。
【０００４】
そこで、考案されたのが本考案であって、体の各部位を鍛錬することができると共に、収納や運搬もし易い運動器具を提供することを目的としている。
【課題を解決するための手段】
【０００５】
本願の請求項１の考案は、平行に配置される２つのレール（１０）と、
前記２つのレール（１０）に固設される脚部（２０）と、
前記２つのレール（１０）に摺動可能に設置される２つの踏み板（３０）と、
前記２つの踏み板（３０）の間に位置するように２つのレール（１０）に固設される固定座（４１）と、該固定座（４１）に枢設される２つの内側連結ロッド（４２）と、該２つの内側連結ロッド（４２）に夫々枢設される２つの固定ロッド（４３）と、該２つの固定ロッド（４３）に夫々枢設されると共に、前記踏み板（３０）に夫々枢設される外側連結ロッド（４５）とを有する連結ロッドユニット（４０）と、
前記２つの固定ロッド（４３）の間に張設される少なくとも１つの弾性部材（５０）と、
前記２つの固定ロッド（４３）に夫々取り付けられる２つのハンドル（６０）とを備えることを特徴とする運動器具、を提供する。
【０００６】
本願の請求項２の考案は、前記連結ロッドユニット（４０）は更に、前記２つの固定ロッド（４３）に夫々固定される２つのスリーブ（４４）を有すると共に、前記ハンドル（６０）は、挿脱可能に該２つのスリーブ（４４）に夫々挿設されるパイプ体（６１）と、該パイプ体（６１）に固設されるグリップ（６２）とを有することを特徴とする請求項１に記載の運動器具、を提供する。
【０００７】
本願の請求項３の考案は、前記各レール（１０）が折畳み可能であることを特徴とする請求項１に記載の運動器具、を提供する。
【０００８】
本願の請求項４の考案は、前記各レール（１０）は、中央部（１１）と、該中央部（１１）の両側に夫々枢設される２つの外側部（１２）とを有することを特徴とする請求項３に記載の運動器具、を提供する。
【０００９】
本願の請求項５の考案は、前記２つの固定ロッド（４３）の一端に夫々、前記２つのスリーブ（４４）が連結されると共に、該２つの固定ロッド（４３）の他端に夫々係止部（４３１）が設けられることを特徴とする請求項２に記載の運動器具、を提供する。
【００１０】
本願の請求項６の考案は、前記弾性部材（５０）が弾性リングであることを特徴をする請求項１に記載の運動器具、を提供する。
【００１１】
本願の請求項７の考案は、前記２つのレール（１０）に夫々摺動溝（１５）が形成されると共に、前記各踏み板（３０）の底部に夫々、２つのレール（１０）における摺動溝（１５）に摺動可能に摺動部材が嵌装されることを特徴とする請求項１乃至６のいずれか一項に記載の運動器具、を提供する。
【００１２】
本願の請求項８の考案は、前記各レール（１０）の上面に長手方向に沿って複数の位置決め部（１０１）が形成されると共に、該各レール（１０）の摺動溝（１５）における、２つの摺動部材の外側にそれぞれ２つの制限ブロック（１６）が着脱可能に設置され、該各制限ブロック（１６）に位置決め部（１０１）と結合するための少なくとも１つの位置決め部材（１６１）が取り付けられることを特徴とする請求項７に記載の運動器具、を提供する。
【００１３】
本願の請求項９の考案は、前記各レール（１０）における位置決め部（１０１）が位置決め穴であると共に、前記各制限ブロック（１６）に取り付けられる位置決め部材（１６１）が該位置決め穴に挿入可能なピンであることを特徴とする請求項８に記載の運動器具、を提供する。
【００１４】
本願の請求項１０の考案は、前記各踏み板（３０）の底部に夫々２つの摺動部材が設置され、該摺動部材は、摺動穴（３２１）を有するスリーブ部材であると共に、前記各レール（１０）における外側部（１２）が、スリーブ部材の摺動穴（３２１）に挿設される棒体であることを特徴とする請求項４乃至６に記載の運動器具、を提供する。
【考案の効果】
【００１５】
本考案は上記の課題を解決するものであり、使用する時に脚部や頚部、腰、腹部、背中、腕などの筋肉を鍛錬することができると共に、不使用時には折畳めば、体積を小さくすることができるので、持ち運びや収納に非常に便利である。
【図面の簡単な説明】
【００１６】
【図１】本考案に係る運動器具の斜視図である。
【図２】本考案に係る運動器具の使用状態を示す斜視図である。
【図３】本考案に運動器具の側面図である。
【図４】本考案に係る運動器具におけるレールと制限ブロックを示す部分断面図である。
【図５】本考案に係る運動器具の使用状態を示す正面図である。
【図６】本考案に係る運動器具の使用状態を示す正面図である。
【図７】本考案に係る運動器具の折畳み状態を示す斜視図である。
【図８】本考案に係る運動器具を折畳み、且つハンドルを外してケースに収納した状態を示す斜視図である。
【図９】本考案に係る運動器具の更なる実施例の部分断面図である。
【考案を実施するための形態】
【００１７】
以下、添付図面を参照して本考案の好適な実施の形態を詳細に説明する。尚、下記の実施例は、本考案の好適な実施の形態を示したものにすぎず、本考案の技術的範囲は、下記実施例そのものに何ら限定されるものではない。
【００１８】
図１は本考案に係る運動器具の斜視図であり、図２は本考案に係る運動器具の使用状態を示す斜視図であり、図３は本考案に運動器具の側面図であり、図４は本考案に係る運動器具におけるレールと制限ブロックを示す部分断面図であり、図５及び図６は本考案に係る運動器具の使用状態を示す正面図であり、図７は本考案に係る運動器具の折畳み状態を示す斜視図であり、図８は本考案に係る運動器具を折畳み、且つハンドルを外してケースに収納した状態を示す斜視図であり、図９は本考案に係る運動器具の更なる実施例の部分断面図である。
【００１９】
図１及び図２に示すように、本考案に係る運動器具は、平行に配置される２つのレール（１０）と、２つの脚部（２０）と、２つの踏み板（３０）と、２つの連結ロッドユニット（４０）と、少なくとも１つの弾性部材（５０）と、２つのハンドル（６０）を備える。
【００２０】
図４に示すように、各レール（１０）は折畳み可能であり、中央部（１１）と、該中央部（１１）の両側に夫々枢設される２つの外側部（１２）とを有し、更に、該各レール（１０）には夫々摺動溝（１５）が形成されると共に、レール（１０）の上面に長手方向に沿って複数の位置決め部（１０１）が形成され、該各摺動溝（１５）に夫々、位置決め部（１０１）と結合するための少なくとも１つの位置決め部材（１６１）が取り付けられる制限ブロック（１６）が着脱可能に設置される。尚、本実施例においては、前記各レール（１０）における位置決め部（１０１）が位置決め穴であると共に、前記各制限ブロック（１６）に取り付けられる位置決め部材（１６１）が該位置決め穴に挿入可能なピンである。
【００２１】
前記２つの脚部（２０）は、２つのレール（１０）の両端に固設されて、足部として床などの上に置かれるものであり、
前記２つの踏み板（３０）は、各レール（１０）における２つの制限ブロック（１６）の間に摺動可能に設置されるものであり、更に詳細に述べると、該各踏み板（３０）の底部には夫々、２つのレール（１０）における摺動溝（１５）に夫々摺動可能に配置される２つの摺動部材（３１）が設けられ、該２つの摺動部材（３１）は制限ブロック（１６）により制止されるので、使用時における開脚しすぎによる怪我を防止することができる。また、本実施例において前記摺動部材（３１）は、摺動溝（１５）において摺動可能なローラーである。
【００２２】
前記連結ロッドユニット（４０）は、前記踏み板（３０）と連動可能に２つのレール（１０）に設置されるものであり、より詳細に述べると、該連結ロッドユニット（４０）は、該２つの踏み板（３０）の間に位置するように２つのレール（１０）に固設される固定座（４１）と、該固定座（４１）に枢設される２つの内側連結ロッド（４２）と、該２つの内側連結ロッド（４２）に夫々枢設される２つの固定ロッド（４３）と、該２つの固定ロッド（４３）に夫々枢設されると共に、踏み板前記（３０）に夫々枢設される外側連結ロッド（４５）と、該２つの固定ロッド（４３）の一端に夫々固定されると共に、挿着穴（４４１）が形成される２つのスリーブ（４４）とを有し、その内、該２つの固定ロッド（４３）の他端に夫々、弾性部材（５０）の固定ロッド（４３）からの脱落を防止するための係止部（４３１）が設けられる。
【００２３】
前記弾性部材（５０）はゴムからなり、前記２つの固定ロッド（４３）の間に張設されて２つの固定ロッド（４３）を接近させる付勢力を生じるものである。尚、前記弾性部材（５０）は、弾性リングであるのが好ましい。
また、前記ハンドル（６０）は、挿脱可能に前記２つのスリーブ（４４）における挿着穴（４４１）に夫々挿設されるパイプ体（６１）と、該パイプ体（６１）に固設されるグリップ（６２）とを有する。
【００２４】
図５及び図６に示すように、本考案の運動器具を使用する時は、先ず使用者が踏み板（３０）上に乗ってグリップ（６２）を握り、次に両脚と両手の力により、弾性部材（５０）の付勢力に抵抗して脚を両側に向かって開き、その後、力を抜き、弾性部材（５０）の付勢力により連結ロッドユニット（４０）を元の位置へ戻し、体を通常の姿勢に戻す。この構成によれば、使用中に２つのハンドル（６０）が両側へ傾く仕組みであるので、脚だけでなく、両手を広げて上半身を前方へ倒し、且つ顔が正面を向く体勢となることから、頚部や腰、腹部、背中、両腕、両脚の筋肉を鍛錬することができる。
【００２５】
図７及び図８に示すように、本考案に係る運動器具は、レール（１０）が折畳み可能であると共に、ハンドル（６０）も挿脱可能であることから、該レール（１０）をＵ字型に折畳んでハンドル（６０）を取り外せば、小型のケース（７０）に収納することができるので、持ち運びや収納に非常に便利である。
【００２６】
また、図９に示すように、本考案の更なる実施例においては、踏み板（３０）における摺動部材（３２）が摺動穴（３２１）を有するスリーブ部材であり、各レール（１０ａ）における外側部（１２ａ）が該摺動穴（３２１）に摺動可能に挿設される棒体である。
【符号の説明】
【００２７】
１０、１０ａ  レール
１０１        位置決め部
１１          中央部
１２、１２ａ  外側部
１５          摺動溝
１６          制限ブロック
１６１        位置決め部材
２０          脚部
３０          踏み板
３１、３２    摺動部材
３２１        摺動穴
４０          連結ロッドユニット
４１          固定座
４２          内側連結ロッド
４３          固定ロッド
４３１        係止部
４４          スリーブ
４４１        挿着穴
４５          外側連結ロッド
５０          弾性部材
６０          ハンドル
６１          パイプ体
６２          グリップ
７０          ケース
【図１】
0003158396.tif 000003
【図２】
0003158396.tif 000004
【図３】
0003158396.tif 000005
【図４】
0003158396.tif 000006
【図５】
0003158396.tif 000007
【図６】
0003158396.tif 000008
【図７】
0003158396.tif 000009
【図８】
0003158396.tif 000010
【図９】
0003158396.tif 000011
【手続補正書】
【提出日】平成22年1月28日(2010.1.28)
【手続補正１】
【補正対象書類名】実用新案登録請求の範囲
【補正対象項目名】請求項１０
【補正方法】変更
【補正の内容】
【請求項１０】
前記各踏み板（３０）の底部に夫々２つの摺動部材が設置され、該摺動部材は、摺動穴（３２１）を有するスリーブ部材であると共に、前記各レール（１０）における外側部（１２）が、スリーブ部材の摺動穴（３２１）に挿設される棒体であることを特徴とする請求項４乃至６のいずれか一項に記載の運動器具。